(57)【要約】【課題】  芳香剤、忌避剤や殺虫剤などをガラス製、プラスチック製などの容器に入れて必要に応じて散布したり、噴霧スプレー容器にいれて噴霧散布したり、あるいは加熱して芳香剤、忌避剤や殺虫剤の揮発物質を蒸散させるようなものがあり、固形化した蚊取線香や線香などもあるが一長一短があり、適切なものではなかった。【解決手段】  シリコーンゴム成形体内部に空洞部分を設けて、その空洞部分に、芳香剤や忌避剤などに代表される揮発性成分を有する液体、個体、ゲル状体、粉体あるいは、臭気などを吸引吸着する物質を封入密封して、シリコーンゴム内部の空洞壁面を通して、徐々に外部へ芳香や忌避物質を揮散させるなり、あるいは、臭気を吸引できるように、持続的、安定的な効果を持つシリコーンゴム成形体を発明して従来の欠点を解決した。【選択図】図１
2015030847.tif 000002
【特許請求の範囲】
【請求項１】
シリコーンゴム成形体に、少なくとも２０ｍｍ以下の厚みを有する空洞部分を設けて、空洞部分に芳香剤、忌避剤あるいは殺虫剤の揮発性物質を封入密封したことを特徴としたシリコーンゴム成形体。
【請求項２】
シリコーンゴム成形体に、少なくとも２０ｍｍ以下の厚みを有する空洞部分を設けて、空洞部分に消臭剤の吸着性を持つ物質を封入密封したことを特徴としたシリコーンゴム成形体。
【請求項３】
シリコーンゴム成形体に設けた空洞部分に密封する芳香剤、忌避剤あるいは殺虫剤の揮発性物質および消臭剤の吸着性を持つ物質のそれぞれの形状が液体、固体、ゲル状体、粒状体、および粉体であることを特徴とした請求項１又は請求項２に記載のシリコーンゴム成形体。
【発明の詳細な説明】
【技術分野】
【０００１】  本発明は、シリコーンゴム成形体内部に空洞部分を設けて、その空洞部分に液体、固体、ゲル状体、粉体などの芳香剤、忌避剤、殺虫剤あるいは消臭剤などを密封して、芳香、忌避、殺虫や消臭などの効果を有するシリコーンゴム成形体に関する。
【背景技術】
【０００２】  現在、芳香剤、忌避剤や殺虫剤などの効果を得るために、いろいろな器具や装置など考えられてきた。芳香剤、忌避剤や殺虫剤などをガラス製、プラスチック製などの容器に入れて必要に応じて散布したり、噴霧スプレー容器にいれて噴霧散布したり、あるいは加熱して芳香剤、忌避剤や殺虫剤の揮発物質を蒸散させるようなものがある。また、固形化した蚊取線香や線香なども市販されている。【０００３】  さらに、芳香剤や忌避剤などを不織布やフェルト、あるいはシリコーンゴムなどに含浸させて、芳香や忌避などの揮発成分を放出させる方法（例えば、特許文献１参照）や特殊なフイルムに揮散成分を含む物質をカプセルに閉じ込めて、カプセルを破壊することにより特殊なフイルムから揮発成分を外部に揮散させる方法（例えば、特許文献２参照）など数種の方法が考案発明されている。
【先行技術文献】
【特許文献１】実用新案登録第３１５５４１５号公報
【特許文献２】特開平０７−６１４７９号公報
【発明の概要】
【発明が解決しようとする課題】
【０００４】  本発明は、従来の方法では芳香剤、忌避剤、消臭剤および殺虫剤などの使用にあたって、芳香性能、忌避性能、消臭性能や殺虫性能の効果が一時的で、短期間で効果が薄れるものが多く、長期間それらの効果を持続させることができない欠点があり、それらの性能効果を長期に持続させることを課題とした。【０００５】  また、本発明は、従来の方法では芳香剤、忌避剤、消臭剤および殺虫剤などの取り扱いについても、短期間で効果が消失するのでそれらの効果を維持するために、薬効剤などの数回の補充、薬液の取り替えなどの煩わしさがあったが、それらについても課題とした。【０００６】  本発明は、従来の方法では芳香剤や忌避剤のように揮発性物質を外部に放出し、それらの放出物の効果のみを対象にするのではなく、また別の作用として、消臭剤のように臭気を吸着吸収させる効果についても併せて課題とした。
【課題を解決するための手段】
【０００７】  本発明は、シリコーンゴムが天然ゴムや他のプラスチックスに比較してガス透過性に優れていることに着目して、シリコーンゴム内部に空洞部分を設けて、その空洞部分に揮発性物質を閉じ込めれば、シリコーンゴムの壁面から揮発性成分が外部に徐々に放出する考えに至り、芳香剤、忌避剤や殺虫剤などをシリコーンゴム内部空洞に密封してそれらの揮発性有効成分を長期的、安定的に放出できるシリコーンゴム成形体を提供する。【０００８】  また、本発明は、前記シリコーンゴムのガス透過性さらには、吸収吸着性に着目して、消臭剤をシリコーンゴム内部空洞に閉じ込めて、外部から臭気を吸着吸収できるシリコーン成形体についても提供する。【０００９】  シリコーンゴム成形体は、ミラブル型、一液型ＲＴＶゴムや二液型ＲＴＶゴムの数種類があり、いずれも同様の透過性を持ち本発明のシリコーン成形体として使用可能であり、また、シリコーン内部の空洞部分の密封に使用する封止剤として液体状のＲＴＶゴムを塗布し、加熱圧着硬化させて同材質による強固な封止接着が望ましい。【００１０】  本発明のシリコーンゴム成形体に設けた空洞部分の壁面の厚さが芳香剤、忌避剤や殺虫剤などの揮発性成分の放出量や放出期間などに関係することが考えられるので、シリコーンゴム成形体の空洞部分の壁面厚さは、封入する物質の種類によっても異なるがあらかじめ検証する必要がある。【００１１】  本発明のシリコーン成形体の空洞部分の壁厚みを設定するについて、簡便な方法として直径１５ｍｍ、長さ５０ｍｍのガラス製試験管の３本を用意して、それぞれにフローラルアロマオイル２ｍｌを入れて１０ｍｍ厚さ、２０ｍｍ厚さ、３０ｍｍ厚さのＲＴＶゴム製の栓でそれぞれを密栓したものを用意し、また、５０ｃｍ立方の気密容器を３個用意した。【００１２】  前記用意したフローラルアロマオイル入りの試験管を前記５０ｃｍ立方の気密容器３個にそれぞれ閉じ込めて、それぞれ３個を２時間後、２４時間後、７２時間後の芳香の強さを観察したところ、ＲＴＶゴム栓が１０ｍｍ厚さのものが最も強力であり、２０ｍｍおよび３０ｍｍの厚さのものが同程度の快適な芳香であった。したがって、空洞部分の壁厚みは、シリコーン成形体の成形性、経済性などを考慮して概ね２０ｍｍ前後が適正である。
【発明の効果】
【００１３】  本発明の空洞部分に設けたシリコーンゴム成形体の大きさや、形状はシリコーンゴムを使用するので、円筒状、角型立方体、扁平状のものなどといろいろな形状が可能であり豊富な選択肢がある。芳香剤、忌避剤や消臭剤などの密封後の最良の性能効果を得るためのシリコーンゴム成形体の空洞部分の容積についても自由に選定したものが提供できる。【００１４】  本発明は、芳香剤や忌避剤などの揮発性物質をシリコーンゴム成形体の空洞の中に取り込み密封することにより、閉じ込められた揮発性成分の放出はシリコーンゴム壁内の微小空間を透過して放出し、空洞壁厚さを調整することにより、急速に外部に洩れ出すことなく揮発性成分は適度な状況で、外部に放出されるので芳香や忌避効果の持続性が保持できるものと期待できる。【００１５】  また、本発明はシリコーンゴム成形体内の空洞部に芳香剤や忌避剤などの揮発物質や消臭剤などの吸着物質を閉じ込めて、シリコーンゴムが持つ透過性、吸着性を利用するもので、シリコーンゴム成形体内の空洞容積の大きさや空洞壁面の厚さなどにより、放出、吸引などの性能を自在に調整することも可能であり、薬液補充、取り替えなどが不要となる。【００１６】  本発明は成形性の優れたシリコーンゴム材質を使用するので、形状の選定も自由自在でいろいろな形態で使用可能であり、必要とする有効な部分に揮発性物質や消臭剤などを密封することができると同時に用途に合わせた形状が可能であり、非常に広範囲な用途が期待できる発明である。【００１７】  また、本発明の芳香剤の揮発性物質や消臭剤などを密封したシリコーンゴム成形体はシリコーンゴム製品以外のいろいろな製品と組み合わせることが可能であり、例えば自動車の換気口、エアコンの排気口、扇風機などに装備するなど、また、インテリアグッズや寝具などの周辺に本発明の成形体を配置するなど数多くの使用方法が提供できる。
【図面の簡単な説明】
【００１８】
【図１】  本発明のユーカリ精油を密封した角柱状ＲＴＶゴム成形体およびユーカリ精油の注入状況を示す見取り図。
【図２】  本発明のローズオイルを密封した角柱状ＲＴＶゴム成形体を示す見取り図。
【図３】  本発明の消臭剤シュークレンズを密封したＲＴＶゴムシートを示す見取り図。
【本発明を実施するための形態】
【００１９】  本発明のシリコーン成形体として、二液型ＲＴＶの成形体に空洞部分が設けられるような成形体部品と前記成形体に封入する忌避剤や芳香オイルや消臭剤などをあらかじめ用意し、次に本発明のシリコーン成形体の３例を実施例として示す。
【実施例１】
【００２０】  本発明の実施にあたって、シリコーンゴムとして二液型ＲＴＶゴムを使用し、あらかじめ外形寸法が、４０ｍｍ角×長さ３５ｍｍの角柱の中央に１０ｍｍ直径×深さ１５ｍｍの円筒形にくり抜いて空洞を設けた同形成形体１ａ、１ｂを２個用意し、同形の前記成形体１ａ、１ｂの
円筒空洞２ａ、２ｂの入口がある側面に液状の二液型ＲＴＶゴムを塗布し、前記ＲＴＶ成形体の２個を接合し、接合部３を熱硬化接着して、中央に１０ｍｍ直径×長さ３０ｍｍの円筒形空洞２ａ、２ｂを内蔵する４０ｍｍ角×長さ７０ｍｍの直方体状のＲＴＶゴム成形体１ａ、１ｂを作製用意した。【００２１】  本発明の実施例１において、シリコーンゴム成形体の空洞部分の左右両側の円形部分の壁面厚さｔ１は２０ｍｍで、円周部分の壁面の最小厚さｔ２は１５ｍｍとして、忌避の良好な効果が得られるように設定をした。【００２２】  本発明の揮発性物質を徐放する前記ＲＴＶゴム成形体１ａ、１ｂに封入する揮発性物質として、忌避剤とされているレモンユーカリ精油を使用し、前記ＲＴＶゴム成形体内部に設けた円筒形の密封空洞２ａ、２ｂに空洞容積の３／４の量を注射器４により前記レモンユーカリ精油を注入し、その後注射器を抜き去り、注射器４による穴を液状二液ＲＴＶゴムで埋め込み前記レモンユーカリ精油が漏れないよう密封した。【００２３】  本発明の揮発性物質の密封については、前記ＲＴＶゴム成形体１ａ、１ｂの円筒形封入口面の接合部分３には液状のＲＴＶゴムを接着剤として塗布し加熱圧着しているので、円筒形空洞は同材質で完全に密封されており、忌避剤の液状のレモンユーカリ精油を円筒形空洞２ａ、２ｂに注射器４で注入し、注射器４の抜き跡も液状のＲＴＶゴムで塞ぎ、本発明の揮発性物質を徐放する成形体を作製することができた。【００２４】  本発明の実施例では、前記作製のＲＴＶゴム成形体空洞内の密封したレモンユーカリ精油が空洞壁面を透過して忌避剤のユーカリ揮発性分を徐放し、その前記作製のＲＴＶゴム成形体の周辺には、レモンユーカリの匂いが漂い約２ｍ以内には蚊が近づかないことが確認できた。また、ＲＴＶゴム成形体に密封したレモンユーカリ精油が無くなる一年間程は、忌避効果が持続していることも確認できた。
【実施例２】
【００２５】  本発明に使用するシリコーンゴムは、実施例１と同じく、二液型ＲＴＶゴムを使用し、ＲＴＶゴム成形体５の形状として、４０ｍｍ角×長さ７０ｍｍの直方体で、中央に１０ｍｍ直径×深さ３０ｍｍの円筒空洞７を設けたものを用意した。また、前記円筒空洞を密封するための直径２０ｍｍ×厚さ２０ｍｍのはめ込み蓋６も用意した。
なお、ＲＴＶゴム成形体は勿論はめ込み蓋６がはめ込めるように円筒空洞７の入口部分には一回り大きな直径２０ｍｍ×深さ２０ｍｍの入口を設けた。【００２６】  本発明の実施例２においても、シリコーンゴム成形体の空洞部分の左右両側の円形部分の壁面厚さｔ３は２０ｍｍで、円周部分の壁面の最小厚さｔ４は１５ｍｍとして、芳香の有効効果が得られるように設定をした。【００２７】  本発明で用意したＲＴＶゴム成形体５の内部の円筒空洞７に、ローズオイルを円筒空洞７がほぼ一杯になるように流し込み、前記はめ込み蓋６の周辺部８に液状ＲＴＶゴムを塗布し、加熱硬化させて密封し、ローズオイルが外部に漏れないように完全密封し、本発明の芳香剤の徐放効果を持たせたＲＴＶゴム製の直方体状成形体を作製することができた。【００２８】  本発明のローズの芳香を放つＲＴＶ成形体を、玄関棚に花瓶と共に並べて配置したところ、玄関は常時バラの香りが漂い、家の出入りする際に香りを楽しむことができた。香りの強さも減少することもなく持続期間も長期に亘り、ＲＴＶ成形体内部の空洞に密封したローズオイルがなくなるまでの約１年間半の長期間に亘って、ローズの香りが玄関に漂っている状況が確認できた。
【実施例３】
【００２９】  本発明の実施例として、２枚のＲＴＶゴム製シート９、１０を用意した。１枚は１５０ｍｍ角×厚さ５ｍｍのＲＴＶゴム製シート９であり、もう１枚のＲＴＶゴム製シート１０は２０ｍｍ角×深さ３ｍｍの凹みを４箇所設けた厚さ５ｍｍのシートである。【００３０】  本発明で用意した２枚の内の１枚のＲＴＶゴム製シート１０の詳細は、２０ｍｍ角×３ｍｍ深さの凹みを４箇所１１ａ、１１ｂ、１１ｃ、１１ｄを前記シート１０の角部分の端から２０ｍｍ内側の位置にそれぞれ設けて、前記４箇所の凹みのそれぞれに消臭剤粉末のシュークレンズを凹みから溢れ出ないように充填した。【００３１】  前記の凹み部分１１ａ、１１ｂ、１１ｃ、１１ｄに前記消臭剤粉末のシュークレンズを充填したシート１０に、接着剤として液状のＲＴＶゴムをそれぞれの前記４箇所の凹み部分を避けて全面に塗布し、もう一枚のシート９を覆い加熱圧着して、４箇所の凹み１１ａ、１１ｂ、１１ｃ、１１ｄに充填した前記消臭剤粉末シュークレンズを密封して、消臭効果を持つＲＴＶゴムシートを製作することができた。【００３２】  本発明の消臭効果を持つシートは、上部シート９と下部シート１０とは同材質のＲＴＶゴムを接着剤として使用しているので、接合部１２は強固に接着しており、消臭粉末シュークレンズは外部に漏洩することなく、ＲＴＶゴムシート内部空間にしっかりと消臭剤粉末のシュークレンズが保持されていることが確認できた。【００３３】  以上のように作製した本発明のＲＴＶゴム製のシートは、密封された消臭剤がシリコーンゴムの壁面を媒体として臭気を吸引し、消臭効果が期待できるものであり、寝具の枕の下に本考案のシートを配備し、汗の臭いに対しての効果の有無を検証したところ汗の臭いの消臭効果が見られ、６ヶ月後の使用後も汗の臭いもなく、良好な状態が確認できた。【００３４】  また、本発明の実施例３についての消臭剤の空洞部分の壁厚さについては薄ければ薄いほど効果が認められるが、壁厚さが破れて、消臭剤が漏れでないことを配慮して、最小厚みとして２ｍｍ壁厚みを選定した。
【符号の説明】
【００３５】  １ａ  ＲＴＶゴム製の忌避剤ユーカリ精油を封入する空洞を持つ成形体。
１ｂ  ＲＴＶゴム製の忌避剤ユーカリ精油を封入する空洞を持つ成形体。
２ａ  忌避剤ユーカリ精油を封入する空洞。
２ｂ  忌避剤ユーカリ精油を封入する空洞。
３    忌避剤ユーカリ精油を密封するＲＴＶゴム成形体の接着接合面。
４    忌避剤ユーカリ精油を注入する注射器。
５    ＲＴＶゴム製の芳香剤ローズオイルを密封する成形体。
６    ＲＴＶゴム製の芳香剤ローズオイルを密封するためのはめ込み蓋。
７    芳香剤ローズオイルを封入する空洞。
８    芳香剤ローズオイルを密封するための接着接合面。
９    ＲＴＶゴム製シート。
１０    ＲＴＶゴム製の凹みを設けたシート。
１１ａ  ＲＴＶゴム製のシート上に設けた消臭剤シュークレンズをいれる凹み。
１１ｂ  ＲＴＶゴム製のシート上に設けた消臭剤シュークレンズをいれる凹み。
１１ｃ  ＲＴＶゴム製のシート上に設けた消臭剤シュークレンズをいれる凹み。
１１ｄ  ＲＴＶゴム製のシート上に設けた消臭剤シュークレンズをいれる凹み。
１２    消臭剤シュークレンズを密封するための接着接合面。
ｔ１  実施例１の空洞部分の左右円形部の壁厚さ
ｔ２  実施例１の空洞部分の円周の最小壁厚さ
ｔ３  実施例２の空洞部分の左右円形部の壁厚さ
ｔ４  実施例２の空洞部分の円周の最小壁厚さ
【図１】
2015030847.tif 000003
【図２】
2015030847.tif 000004
【図３】
2015030847.tif 000005